(57)【特許請求の範囲】
【請求項１】
ロータンクの上側に設置される手洗鉢において、
鉢部と、
該鉢部内を貯水部と溢出部とに区画する溢流堰と、
該貯水部内に水を供給する吐水器と、
該貯水部の底部からロータンク内へ排水する排水口と、
該溢出部に設けられており、該貯水部内から該溢流堰を介して溢流してきた水をロータンクへ流出させる流出口と
を備えてなり、該吐水器の吐水口が鉢部の上縁よりも下位に位置しており、
該吐水器の吐水量及び前記排水口の口径は、該吐水器からの吐水により溢流堰から水が溢流するまで鉢部内に水が溜まるように設定されている手洗鉢であって、
該溢流堰が該手洗鉢の左サイドから右サイドにまで延設されており、
該手洗鉢の手前側が貯水部となっており、奥側が溢出部となっていることを特徴とする手洗鉢。
【請求項２】
請求項１において、該吐水口が該溢流堰の上縁よりも上位に位置しており、
該吐水器が手洗鉢内の手前側に配置されていることを特徴とする手洗鉢。
【発明の詳細な説明】
【０００１】
【発明の属する技術分野】
本発明は、便器へ便器洗浄水を供給するロータンクの上側に設置される手洗鉢に係り、特に鉢部に水を溜めて手を洗うように構成された手洗鉢に関する。
【０００２】
【従来の技術】
トイレルーム内において用便後に手を洗うためにロータンクの上側に手洗鉢を設けたものが広く用いられている。このような手洗鉢付きロータンクの従来例の一例について図４を参照して説明する。
【０００３】
この従来例は、ロータンクを覆うロータンクカバーを備えたコンソール型洋風便器設備と称されるものであり、洋風便器１０の後部上面にロータンクカバー１２が設置され、このロータンクカバー１２内にロータンク（図面を明瞭にするために図示略）が設置されている。このロータンク内へは止水栓１４、サプライ管１６及びボールタップ１８を介して水が供給される。ロータンクの底部の放水口はフロート弁２０が設けられている。ロータンクカバー１２に取り付けられた洗浄ハンドル２２を回すと、玉鎖２４を介して該フロート弁２０が引き上げられ、ロータンク内の水が洋風便器１０の便鉢へ放出される。ロータンク内の水のほぼ全量が放出されると、フロート弁２０が着座し、ロータンク内に水が再び貯留される。なお、ロータンク内の水位が低下すると、ボールタップ１８に連結された浮玉２６が下方移動し、ボールタップ１８が開栓し、ロータンク内にボールタップ１８から注水される。
【０００４】
このボールタップ１８からはホース２８が分岐しており、このホース２８により手洗吐水器３０へ給水される。
【０００５】
ロータンクカバー１２の上面部は、着脱自在な手洗鉢３２となっており、この手洗鉢３２から該手洗吐水器３０が立設されている。
【０００６】
洗浄ハンドル２２を回してロータンク内の水を便鉢に放出させることによりボールタップ１８が開栓すると、手洗吐水器３０から吐水が開始し、ボールタップ１８が閉栓すると手洗吐水器３０から吐水が停止する。手洗吐水器３０から吐水している間に手を洗うことができる。
【０００７】
手洗鉢３２の底部には排水口（図示略）が設けられており、手洗鉢３２内に落下した水はこの排水口からロータンク内に落下する。
【０００８】
なお、この従来例にあっては、ボールタップ１８からロータンク内に放出する水をフレキシブルなサービスタンク３４に溜め、このサービスタンク３４内の清水を人体臀部の温水洗浄装置に供給するようにしている。サービスタンク３４内が満水になると、サービスタンク３４から溢れた水がロータンク内に貯留される。
【０００９】
なお、ロータンクカバー１２の前面側に便座３６と便蓋３８とが上下方向回動可能に取り付けられている。
【００１０】
【発明が解決しようとする課題】
上記従来のように手洗吐水器３０からの吐水によって手を洗うようにした手洗鉢３２にあっては、手に当った水が周囲に飛び散り、トイレルームの床や壁あるいは使用者の衣服などを濡らすことがある。また、水圧が高い地域などにあっては、手洗吐水器３０から勢いよく吐出した水が手洗鉢３２の鉢面に当って飛び散り、周囲を濡らすことがある。
【００１１】
水の飛散を防止するために水量を絞るように調整した場合、水の出が細くなり、手を洗いにくくなる恐れがある。
【００１２】
本発明は、水の飛散が防止されると共に、十分に手を洗うことができる手洗鉢を提供することを目的とする。
【００１３】
【課題を解決するための手段】
本発明の手洗鉢は、ロータンクの上側に設置される手洗鉢において、鉢部と、該鉢部内を貯水部と溢出部とに区画する溢流堰と、該貯水部内に水を供給する吐水器と、該貯水部の底部からロータンク内へ排水する排水口と、該溢出部に設けられており、該貯水部内から該溢流堰を介して溢流してきた水をロータンクへ流出させる流出口とを備えてなり、該吐水器の吐水口が鉢部の上縁よりも下位に位置しており、該吐水器の吐水量及び前記排水口の口径は、該吐水器からの吐水により溢流堰から水が溢流するまで鉢部内に水が溜まるように設定されている手洗鉢であって、該溢流堰が該手洗鉢の左サイドから右サイドにまで延設されており、該手洗鉢の手前側が貯水部となっており、奥側が溢出部となっていることを特徴とするものである。
【００１４】
かかる本発明の手洗鉢にあっては、ロータンクから水が便器へ放出されると吐水器から水が鉢部に吐水される。この吐水量は鉢部の排水口からの流出量よりも十分に多く設定されており、鉢部に水が溜まる。この溜水により手を洗う。なお、所定水位にまで鉢部に水が溜まると、それ以降は溢出部から水がロータンクへ溢出する。
【００１５】
本発明では、鉢部内が溢流堰により貯水部と溢出部とにより区画されており、前記吐水器は該貯水部に吐水するように配置され、前記排水口は該貯水部に配置され、該溢出部にロータンクへの流出口が設けられている。このように鉢部内に貯水部を区画形成すると、貯水部の容積が鉢部に比べて小さいので、貯水部に早く水が溜まるようになる。
【００１６】
【発明の実施の形態】
以下、図１〜３を参照して実施の形態について説明する。図１（Ａ）は本発明の実施の形態に係る手洗鉢を示す斜視図、図１（Ｂ）は図１（Ａ）のＢ−Ｂ線に沿う断面図、図２は図１の手洗鉢の平面図である。
【００１７】
この手洗鉢４０は、図６の手洗鉢３２と同様にロータンクカバー１２の上側に設置されるものである。この手洗鉢４０の鉢部４２は、溢流堰４８によって貯水部４４と溢出部４６とに区画されている。この貯水部４４に臨む鉢内に吐水器５０が設けられている。この吐水器５０の吐水口５０ａは、手洗鉢４０の鉢部４２の上縁４２ａよりも下位となっている。この吐水器５０には給水用のホース２８を介してボールタップから水が供給される。
【００１８】
貯水部４４の底部には排水口５２が設けられ、溢出部４６の底部には流出口５４が設けられている。これらの排水口５２及び流出口５４はいずれもロータンク（図示略）の上方に位置している。
【００１９】
このように構成された手洗鉢４０にあっては、ロータンクの洗浄ハンドル（図１，２では図示略）の操作に伴ってボールタップが開栓すると、吐水器５０から吐水が行われる。この吐水器５０の吐水量は排水口５２からの排水量よりも十分に多くなるように設定されており、貯水部４４に水が速やかに溜まる。そこで、便器使用終了者は、この貯水部４４の溜水に指や手を浸して洗うことができる。なお、余剰の水は溢流堰４８によって溢出部４６へ溢流する。
【００２０】
ボールタップが閉栓すると、吐水器５０からの吐水が停止し、貯水部４４内の水は排水口５２から少しずつロータンクへ流出する。通常は、貯水部４４内の水位が低下開始する前に手を洗い終っている。
【００２１】
この吐水器５０は、吐水口５０ａのレベルが鉢部上縁４２ａよりも下位となっている。特に、この実施の形態では、貯水部４４の鉢面に沿って水を吐水するように吐水口５０ａの吐水方向を鉢面と平行又はそれよりも鉢面に向う方向としている。
【００２２】
このため、吐水器５０からの吐水が鉢面から跳ねることがなく、手洗鉢４０の周囲に飛び散ることがない。また、吐水器５０が出張らないので、手洗鉢４０の外観上の見栄えが良い。
【００２３】
この実施の形態では、溢流堰４８を手洗鉢４０の左サイドから右サイドにまで延設しており、貯水部４４の容積を比較的小さくしている。このため、貯水部４４に水が早期に溜まる。
【００２５】
図１〜２の実施の形態では吐水器５０を手洗鉢の手前側（洋風便器前方側）に配置しているが、サイドに設けてもよく、また隅角部に設けてもよい。
【００２６】
本発明では、図３の手洗鉢４０Ｃのように鉢部４２を覆う開閉式のトップカバー６０を設けてもよい。手洗鉢４０Ｃを使用しないときには図３（Ａ）のようにトップカバー６０は倒伏している。手を洗うときだけトップカバー６０を図３（Ｂ）のように起立回動させて開けてもよく、洗浄ハンドル２２を操作するとトップカバー６０がモータ等によって自動的に起立回動するようにしてもよい。また、人体検知センサが人体を検知するとトップカバー６０が自動的に開くようにしてもよい。このようなトップカバー６０を設けておくと、手洗鉢４０Ｃの鉢部４２に塵が入らず、鉢部４２にきわめて清浄な水を溜めることができる。
【００２７】
上記実施の形態では手洗鉢はロータンクカバー１２の上に設置されているが、ロータンクの上に直に載置される手洗鉢についても本発明を適用することができる。
【００２８】
本発明では、便器は洋風便器であってもよく、和風便器等であってもよい。
【００２９】
【発明の効果】
以上の通り、本発明の手洗鉢によると、周囲に水が飛散することが防止されると共に、溜水に手指を浸すようにして十分に手を洗うことができる。
【図面の簡単な説明】
【図１】  図１（Ａ）は本発明の実施の形態に係る手洗鉢を示す斜視図、図１（Ｂ）は図１（Ａ）のＢ−Ｂ線に沿う断面図である。
【図２】  図１の手洗鉢の平面図である。
【図３】  異なる実施の形態に係る手洗鉢の平面図である。
【図４】  従来の手洗鉢を備えた洋風便器の斜視図である。
【符号の説明】
１０  洋風便器
１２  ロータンクカバー
１８  ボールタップ
２２  洗浄ハンドル
３０  手洗吐水器
３２，４０，４０Ｃ  手洗鉢
４２  鉢部
４４  貯水部
４６  溢出部
４８  溢流堰
５２  排水口
５４  流出口
６０  トップカバー
【図１】
0004218197.tif 000002
【図２】
0004218197.tif 000003
【図３】
0004218197.tif 000004
【図４】
0004218197.tif 000005